【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
移動式プラットフォームをシミュレートするための方法であって、
前記移動式プラットフォームのための仮想ネットワーク用の複数の構成部品を識別して、複数の識別構成部品を形成し（８００）、
前記複数の識別構成部品の少なくとも一部用の構成部品の仮想版の組を設計し（８０２）、
前記構成部品の仮想版の組を、データ処理システム上に配置し、かつ、
前記データ処理システム上の物理的ネットワーク接続の組を構築する（８０４）ことを含む方法。
【請求項２】
前記物理的ネットワーク接続の組を別のネットワークに接続し（７０２）、前記仮想ネットワークが前記別のネットワークに接続され、かつ、
ネットワークおよび前記別のネットワークを用いて作業を行う（７０４）ことをさらに含む請求項１に記載の方法。
【請求項３】
前記作業を行うことによりデータを収集して、収集データを形成し（７０６）、かつ、
前記収集データに応じて前記他のネットワークを変更する（７１０）ことをさらに含む請求項２に記載の方法。
【請求項４】
前記行う工程が、
ネットワーク（３０２）および前記別のネットワーク（３００）を用いて作業を行うことにより、前記作業の行い方についてユーザの組を訓練することを含む請求項１に記載の方法。
【請求項５】
前記複数の構成部品のうち選択された構成部品が、ライン交換可能ユニット（４２０）におけるシミュレートされたソフトウェア航空機部品（４０２、４０４）である請求項１に記載の方法。
【請求項６】
前記設計する工程が、
前記ライン交換可能ユニット（４２０）用の仮想機械（６１０〜６１４）を設計して、前記ソフトウェア航空機部品を実行することを含む請求項５に記載の方法。
【請求項７】
前記ライン交換可能ユニット用の仮想機械の前記設計を、前記ソフトウェア航空機部品に対する入出力をシミュレート可能なソフトウェア構成部品を用いて行う請求項６に記載の方法。
【請求項８】
物理的航空機（１１６）ネットワークにより実行される作業をシミュレート可能な仮想航空機ネットワーク（３０２、５０２）と、
地上ネットワーク（３００）と通信可能なデータ処理システムであって、前記仮想航空機ネットワークがその上に位置しているデータ処理システム（２００）とを含む装置。
【請求項９】
前記仮想航空機ネットワークが、
航空機（１１６）上のライン交換可能ユニットを表す仮想機械の組（６１０〜６１４）と、
前記物理的航空機ネットワーク内のネットワークを表す仮想ネットワークの組（４０６、４０８）と、
前記仮想航空機ネットワークを制御するためにユーザの入力を受信可能なコントロールユーザインターフェース（４１０）とを含む請求項８に記載の装置。
【請求項１０】
前記仮想航空機ネットワーク（３０２、４００）および前記地上ネットワーク（１０２）と通信可能な仮想地上デバイス（１１０〜１１４）と、
前記仮想航空機ネットワークに接続されている物理的非標準デバイス（４２４）および仮想非標準デバイス（４２６）のうちの少なくとも１つ
のうちの少なくとも１つをさらに含む請求項９に記載の装置。
【手続補正２】
【補正対象書類名】明細書
【補正対象項目名】００９９
【補正方法】変更
【補正の内容】
【００９９】
さらに、種々の有利な実施形態は、他の有利な実施形態と比較して異なる利点を提供するかもしれない。選択された一または複数の実施形態は、実施形態の原理、実際の適用をもっともよく説明するため、かつ、考慮された特定の使用に適したものとしてさまざまな改修を有するさまざまな実施形態に対する開示を当該技術分野における通常の技術を有する他者が理解できるようにするために選ばれ、説明されている。
また、本発明は以下に記載する態様を含む。
（態様１）
移動式プラットフォームをシミュレートするための方法であって、
前記移動式プラットフォームのための仮想ネットワーク用の複数の構成部品を識別して、複数の識別構成部品を形成し（８００）、
前記複数の識別構成部品の少なくとも一部用の構成部品の仮想版の組を設計し（８０２）、
前記構成部品の仮想版の組を、データ処理システム上に配置し、かつ、
前記データ処理システム上の物理的ネットワーク接続の組を構築する（８０４）ことを含む方法。
（態様２）
前記物理的ネットワーク接続の組を別のネットワークに接続し（７０２）、前記仮想ネットワークが前記別のネットワークに接続され、かつ、
ネットワークおよび前記別のネットワークを用いて作業を行う（７０４）ことをさらに含む態様１に記載の方法。
（態様３）
前記作業を行うことによりデータを収集して、収集データを形成し（７０６）、かつ、
前記収集データに応じて前記他のネットワークを変更する（７１０）ことをさらに含む態様２に記載の方法。
（態様４）
前記行う工程が、
ネットワーク（３０２）および前記別のネットワーク（３００）を用いて作業を行うことにより、前記作業の行い方についてユーザの組を訓練することを含む態様１に記載の方法。
（態様５）
前記複数の構成部品のうちの１つの物理的構成部品を利用することをさらに含む態様２に記載の方法。
（態様６）
前記物理的構成部品が、ライン交換可能ユニット（４２０）である態様５に記載の方法。
（態様７）
前記ネットワーク（３０２）が、仮想航空機ネットワークであり、かつ、前記別のネットワークが、地上ネットワーク（３００）である態様４に記載の方法。
（態様８）
前記ネットワークが、航空機（１１６）におけるネットワーク、自動車におけるネットワーク、戦車におけるネットワーク、船舶におけるネットワーク、宇宙船におけるネットワーク、潜水艦におけるネットワークおよびミサイルにおけるネットワークのうちの１つから選択される態様１に記載の方法。
（態様９）
前記複数の構成部品のうち選択された構成部品が、ライン交換可能ユニット（４２０）におけるシミュレートされたソフトウェア航空機部品（４０２、４０４）である態様１に記載の方法。
（態様１０）
前記設計する工程が、
前記ライン交換可能ユニット（４２０）用の仮想機械（６１０〜６１４）を設計して、前記ソフトウェア航空機部品を実行することを含む態様９に記載の方法。
（態様１１）
前記ライン交換可能ユニット用の仮想機械の前記設計を、前記ソフトウェア航空機部品に対する入出力をシミュレート可能なソフトウェア構成部品を用いて行う態様１０に記載の方法。
（態様１２）
物理的航空機（１１６）ネットワークにより実行される作業をシミュレート可能な仮想航空機ネットワーク（３０２、５０２）と、
地上ネットワーク（３００）と通信可能なデータ処理システムであって、前記仮想航空機ネットワークがその上に位置しているデータ処理システム（２００）とを含む装置。
（態様１３）
前記仮想航空機ネットワークが、
航空機（１１６）上のライン交換可能ユニットを表す仮想機械の組（６１０〜６１４）と、
前記物理的航空機ネットワーク内のネットワークを表す仮想ネットワークの組（４０６、４０８）と、
前記仮想航空機ネットワークを制御するためにユーザの入力を受信可能なコントロールユーザインターフェース（４１０）とを含む態様１２に記載の装置。
（態様１４）
前記仮想航空機ネットワーク（３０２、４００）および前記地上ネットワーク（１０２）と通信可能な仮想地上デバイス（１１０〜１１４）と、
前記仮想航空機ネットワークに接続されている物理的非標準デバイス（４２４）および仮想非標準デバイス（４２６）のうちの少なくとも１つ
のうちの少なくとも１つをさらに含む態様１３に記載の装置。
（態様１５）
前記データ処理システムが、携帯型コンピュータ（５３２）である態様１２に記載の装置。